(57)【要約】      （修正有）【課題】バックライトユニット及びそれを用いた照明システムを提供する。【解決手段】一実施形態に係るライトユニットは、トッププレートと、ボトムプレートと、トッププレートとボトムプレートとの間に配置された少なくとも一つの光源モジュールと、を備え、ボトムプレートは、正反射領域（ｓｐｅｃｕｌａｒ  ｒｅｆｌｅｃｔｉｏｎ  ａｒｅａ）及び乱反射領域（ｄｉｆｆｕｓｅ  ｒｅｆｌｅｃｔｉｏｎ  ａｒｅａ）を有し、乱反射領域は、入射光をランベルト分布（ｌａｍｂｅｒｔｉａｎ  ｄｉｓｔｒｉｂｕｔｉｏｎ）で反射する第１の反射パターン、及びガウス分布（ｇａｕｓｓｉａｎ  ｄｉｓｔｒｉｂｕｔｉｏｎ）で反射する第２の反射パターンの少なくとも一方を有することができる。【選択図】図２
2013131499.tif 000002
【特許請求の範囲】
【請求項１】
トッププレートと、
ボトムプレートと、
前記トッププレートと前記ボトムプレートとの間に配置された少なくとも一つの光源モジュールと、
を備え、
前記ボトムプレートは、正反射領域及び乱反射領域を有し、
前記乱反射領域は、入射光をランベルト分布で反射する第１の反射パターン、及びガウス分布で反射する第２の反射パターンの少なくとも一つを有する、ライトユニット。
【請求項２】
前記乱反射領域は、前記ボトムプレートの全体領域の５０〜９５％を占める、請求項１に記載のライトユニット。
【請求項３】
前記乱反射領域は、前記ボトムプレートの全体領域の７０〜８０％を占める、請求項１に記載のライトユニット。
【請求項４】
前記ボトムプレートの正反射領域と乱反射領域との面積比は、１：１〜１：２０である、請求項１に記載のライトユニット。
【請求項５】
前記乱反射領域の第１、第２の反射パターンの少なくとも一方は、不均一な大きさの凹凸形状を有する、請求項１に記載のライトユニット。
【請求項６】
前記ボトムプレートの乱反射領域と前記光源モジュール間の距離は、前記ボトムプレートの正反射領域と前記光源モジュール間の距離よりも大きい、請求項１に記載のライトユニット。
【請求項７】
前記ボトムプレートは、少なくとも一つの平面を有し、前記ボトムプレートの平面は、前記トッププレートと平行な面である、請求項１に記載のライトユニット。
【請求項８】
前記ボトムプレートは、少なくとも一つの変曲点を有する少なくとも２個の傾斜面を有し、前記変曲点を中心に隣接している第１、第２の傾斜面の曲率は互いに異なる、請求項１に記載のライトユニット。
【請求項９】
前記トッププレートは、前記ボトムプレートの正反射領域の全部または一部をカバーする、請求項１に記載のライトユニット。
【請求項１０】
前記トッププレートは正反射領域である、請求項１に記載のライトユニット。
【請求項１１】
トッププレートと、
ボトムプレートと、
前記トッププレートと前記ボトムプレートとの間に配置された少なくとも一つの光源モジュールと、
を備え、
前記ボトムプレートは、正反射領域、乱反射領域、及び該正反射領域と乱反射領域が混合している混合領域を有し、
前記混合領域の正反射領域は、前記混合領域の全体領域の５〜５０％を占め、
前記乱反射領域は、入射光をランベルト分布で反射する第１の反射パターン、及びガウス分布で反射する第２の反射パターンを有する、ライトユニット。
【請求項１２】
前記混合領域は、前記正反射領域と前記乱反射領域との間に配置される、請求項１１に記載のライトユニット。
【請求項１３】
前記混合領域は、前記光源モジュールから遠ざかるにつれて前記正反射領域の面積比率が減少する、請求項１１に記載のライトユニット。
【請求項１４】
前記混合領域は、前記光源モジュールに隣接している正反射領域の面積が、前記光源モジュールから遠く離れた正反射領域の面積よりも大きい、請求項１１に記載のライトユニット。
【請求項１５】
前記混合領域の正反射領域は、前記混合領域の全体領域の２０〜３０％を占める、請求項１１に記載のライトユニット。
【請求項１６】
前記混合領域の正反射領域と乱反射領域との面積比は、１：１〜１：２０である、請求項１１に記載のライトユニット。
【請求項１７】
トッププレートと、
ボトムプレートと、
前記トッププレートと前記ボトムプレートとの間に配置された少なくとも一つの光源モジュールと、
を備え、
前記ボトムプレートは、正反射領域、及び第１、第２の乱反射領域を有し、
前記第１、第２の乱反射領域は、入射光をランベルト分布で反射する第１の反射パターン、及びガウス分布で反射する第２の反射パターンを有し、
前記第１の乱反射領域は、前記第１の反射パターンが前記第２の反射パターンよりも少なく、
前記第２の乱反射領域は、前記第１の反射パターンが前記第２の反射パターンよりも多い、ライトユニット。
【請求項１８】
前記第１の乱反射領域と前記第２の乱反射領域との面積比は、１：１〜１：５である、請求項１７に記載のライトユニット。
【請求項１９】
前記正反射領域と前記第１の乱反射領域との面積比は、１：１〜１：４である、請求項１７に記載のライトユニット。
【請求項２０】
前記正反射領域と前記第２の乱反射領域との面積比は、１：１〜１：２０である、請求項１７に記載のライトユニット。
【請求項２１】
前記第１の乱反射領域は、前記正反射領域と前記第２の乱反射領域との間に配置される、請求項１７に記載のライトユニット。
【請求項２２】
前記ボトムプレートから一定の空間を置いて配置された光学部材をさらに備え、前記ボトムプレートと前記光学部材との間の空間にはエアーガイド領域が形成される、請求項１、１１及び１７のいずれか１項に記載のライトユニット。
【請求項２３】
請求項１乃至２１のいずれか１項に記載のライトユニットを備える照明システム。
【発明の詳細な説明】
【技術分野】
【０００１】
様々な実施形態は、ライトユニット及びそれを用いた照明システムに関する。
【背景技術】
【０００２】
一般に、大型ディスプレイ装置の代表例には、ＬＣＤ（Ｌｉｑｕｉｄ  Ｃｒｙｓｔａｌ  Ｄｉｓｐｌａｙ）またはＰＤＰ（Ｐｌａｓｍａ  Ｄｉｓｐｌａｙ  Ｐａｎｅｌ）などがある。
【０００３】
自発光型のＰＤＰとは違い、ＬＣＤは、自体発光する発光素子を備えておらず、別のライトユニットが必須である。
【０００４】
ＬＣＤに用いられるライトユニットは、光源の位置によって、エッジ（ｅｄｇｅ）方式のライトユニットと直下方式のライトユニットとに区別される。エッジ方式は、ＬＣＤパネルの左右側面または上下側面に光源を配置し、導光板を用いて光を前面に均一に分散させるため、光の均一性がよく、パネルの超薄型化が可能である。
【０００５】
直下方式は、通常、２０インチ以上のディスプレイに用いられる技術で、パネルの下部に光源を複数個配置するから、エッジ方式に比べて優れた光効率を有し、よって、高輝度を要する大型ディスプレイに主に用いられる。
【０００６】
既存のエッジ方式や直下方式のライトユニットの光源には、ＣＣＦＬ（Ｃｏｌｄ  Ｃａｔｈｏｄｅ  Ｆｌｕｏｒｅｓｃｅｎｔ  Ｌａｍｐ）を用いてきた。
【０００７】
しかしながら、ＣＣＦＬを用いたライトユニットは、ＣＣＦＬに常に電源が印加されなければならず、相当量の電力を消耗する、ＣＲＴに比べて約７０％レベルの色再現率を示す、水銀の添加により環境汚染を招く、といった欠点があった。
【０００８】
これを解消するための代替品として、現在、ＬＥＤ（Ｌｉｇｈｔ  Ｅｍｉｔｔｉｎｇ  ｄｉｏｄｅ）を用いたライトユニットに関する研究が活発に行われている。
【０００９】
ＬＥＤをライトユニットに用いる場合、ＬＥＤアレイの部分的なオン／オフが可能なため、消耗電力を画期的に低減できる。なお、ＲＧＢ  ＬＥＤの場合は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より鮮明な画質を消費者に提供することができる。
【発明の概要】
【発明が解決しようとする課題】
【００１０】
様々な実施形態は、反射シート無しに、正反射領域及び乱反射領域を有するボトムプレート（ｂｏｔｔｏｍ  ｐｌａｔｅ）を用いてエアーガイド（ａｉｒ  ｇｕｉｄｅ）領域を有するライトユニット及びそれを用いた照明システムを提供する。
【課題を解決するための手段】
【００１１】
一実施形態において、ライトユニットは、トッププレート（ｔｏｐ  ｐｌａｔｅ）と、ボトムプレート（ｂｏｔｔｏｍ  ｐｌａｔｅ）と、トッププレートとボトムプレートとの間に配置された少なくとも一つの光源モジュールと、を備え、ボトムプレートは、正反射領域（ｓｐｅｃｕｌａｒ  ｒｅｆｌｅｃｔｉｏｎ  ａｒｅａ）及び乱反射領域（ｄｉｆｆｕｓｅ  ｒｅｆｌｅｃｔｉｏｎ  ａｒｅａ）を有し、乱反射領域は、入射光をランベルト分布（ｌａｍｂｅｒｔｉａｎ  ｄｉｓｔｒｉｂｕｔｉｏｎ）で反射する第１の反射パターン、及びガウス分布（ｇａｕｓｓｉａｎ  ｄｉｓｔｒｉｂｕｔｉｏｎ）で反射する第２の反射パターンの少なくとも一方を有することができる。
【００１２】
ここで、乱反射領域は、ボトムプレートの全体領域の５０〜９５％を占めることができる。
【００１３】
場合によって、乱反射領域は、ボトムプレートの全体領域の７０〜８０％を占めることもできる。
【００１４】
そして、ボトムプレートの正反射領域と乱反射領域との面積比は、１：１〜１：２０でよい。
【００１５】
また、乱反射領域の第１、第２の反射パターンは、不均一な大きさの凹凸形状を有することができる。
【００１６】
また、ボトムプレートの乱反射領域と光源モジュール間の距離は、ボトムプレートの正反射領域と光源モジュール間の距離よりも大きくてもよい。
【００１７】
そして、ボトムプレートは、少なくとも一つの平面を有し、ボトムプレートの平面は、トッププレートと平行な面でもよい。
【００１８】
また、ボトムプレートは、少なくとも一つの変曲点を有する少なくとも２個の傾斜面を有し、変曲点を中心に隣接している第１、第２の傾斜面の曲率は互いに異なっていてもよい。
【００１９】
また、トッププレートは、ボトムプレートの正反射領域の全部または一部をカバーでき、トッププレートは正反射領域でもよい。
【００２０】
また、他の実施形態において、ライトユニットは、トッププレートと、ボトムプレートと、トッププレートとボトムプレートとの間に配置された少なくとも一つの光源モジュールと、を備え、ボトムプレートは、正反射領域、乱反射領域、及び正反射領域と乱反射領域とが混合している混合領域を有し、混合領域の正反射領域は、混合領域の全体領域の５〜５０％を占め、乱反射領域は、入射光をランベルト分布で反射する第１の反射パターン、及びガウス分布で反射する第２の反射パターンを有することができる。
【００２１】
ここで、混合領域は、正反射領域と乱反射領域との間に配置され、混合領域は、光源モジュールから遠ざかるにつれて正反射領域の面積比率が減少してもよい。
【００２２】
そして、混合領域は、光源モジュールに隣接している正反射領域の面積が、光源モジュールから遠く離れた正反射領域の面積よりも大きくてもよい。
【００２３】
また、混合領域の正反射領域は、混合領域の全体領域の２０〜３０％を占めることができ、混合領域の正反射領域と乱反射領域との面積比は、１：１〜１：２０でよい。
【００２４】
一方、さらに他の実施形態において、ライトユニットは、トッププレートと、ボトムプレートと、トッププレートとボトムプレートとの間に配置された少なくとも一つの光源モジュールと、を備え、ボトムプレートは、正反射領域、及び第１、第２の乱反射領域を有し、第１、第２の乱反射領域は、入射光をランベルト分布で反射する第１の反射パターン、及びガウス分布で反射する第２の反射パターンを有し、第１の乱反射領域は、第１の反射パターンが前記第２の反射パターンよりも少なく、第２の乱反射領域は、第１の反射パターンが第２の反射パターンよりも多ければよい。
【００２５】
ここで、第１の乱反射領域と第２の乱反射領域との面積比は、１：１〜１：５でよい。
【００２６】
そして、正反射領域と第１の乱反射領域との面積比は、１：１〜１：４でよく、正反射領域と第２の乱反射領域との面積比は、１：１〜１：２０でよい。
【００２７】
また、第１の乱反射領域は、正反射領域と第２の乱反射領域との間に配置されるとよい。
【００２８】
これらの実施形態において、ライトユニットは、ボトムプレートから一定の空間を置いて配置された光学部材をさらに備え、ボトムプレートと光学部材との間の空間にエアーガイド領域が形成されてもよい。
【発明の効果】
【００２９】
様々な実施形態においては、 反射シート無しに、正反射領域と乱反射領域を有するボトムプレート（ｂｏｔｔｏｍ  ｐｌａｔｅ）を用いてエアーガイド（ａｉｒ  ｇｕｉｄｅ）領域を有するライトユニットを形成することによって、軽量、低作製コスト、及び均一な輝度を提供することができる。したがって、照明ユニットの経済性及び信頼性が向上するとともに、広い室内空間に適したものとすることができる。
【図面の簡単な説明】
【００３０】
下記の図面を参照して様々な実施形態について詳細に説明する。ただし、図面中、同一の構成要素には同一の参照符号を付する。
【図１Ａ】第１の実施形態に係るライトユニットを説明するための図である。
【図１Ｂ】第１の実施形態に係るライトユニットを説明するための図である。
【図２】光の正反射特性及び乱反射特性を説明するための図である。
【図３】図１Ａの乱反射領域で反射される光の分布を示す図である。
【図４】ボトムプレートの乱反射領域の構成を示す断面図である。
【図５Ａ】傾斜面及び平面を有するボトムプレートを示す図である。
【図５Ｂ】傾斜面及び平面を有するボトムプレートを示す図である。
【図５Ｃ】傾斜面及び平面を有するボトムプレートを示す図である。
【図６Ａ】複数の傾斜面を有するボトムプレートを示す図である。
【図６Ｂ】複数の傾斜面を有するボトムプレートを示す図である。
【図６Ｃ】複数の傾斜面を有するボトムプレートを示す図である。
【図７Ａ】ボトムプレートの正反射領域と重なり合うトッププレートを示す図である。
【図７Ｂ】ボトムプレートの正反射領域と重なり合うトッププレートを示す図である。
【図８Ａ】第２の実施形態に係るライトユニットを説明するための図である。
【図８Ｂ】第２の実施形態に係るライトユニットを説明するための図である。
【図８Ｃ】第２の実施形態に係るライトユニットを説明するための図である。
【図８Ｄ】第２の実施形態に係るライトユニットを説明するための図である。
【図９Ａ】第２の実施形態に係る混合領域の他の具体例を示す平面図である。
【図９Ｂ】第２の実施形態に係る混合領域の他の具体例を示す平面図である。
【図９Ｃ】第２の実施形態に係る混合領域の他の具体例を示す平面図である。
【図１０】第２の実施形態に係る混合領域のさらに他の具体例を示す平面図である。
【図１１Ａ】第２の実施形態に係る混合領域のさらに他の具体例を示す平面図である。
【図１１Ｂ】第２の実施形態に係る混合領域のさらに他の具体例を示す平面図である。
【図１２】第２の実施形態に係る混合領域のさらに他の具体例を示す平面図である。
【図１３】第２の実施形態に係る混合領域のさらに他の具体例を示す平面図である。
【図１４Ａ】第３の実施形態に係るライトユニットを説明するための図である。
【図１４Ｂ】第３の実施形態に係るライトユニットを説明するための図である。
【図１５】光学部材を含むライトユニットを示す図である。
【図１６】光学部材の形状の一例を示す図である。
【図１７】ボトムプレートの下部面に形成された補強リブを示す図である。
【図１８】ボトムプレートの上部面に形成された支持ピンを示す図である。
【図１９】実施形態に係るライトユニットを有するディスプレイモジュールを示す図である。
【図２０】実施形態に係るディスプレイ装置を示す図である。
【図２１】実施形態に係るディスプレイ装置を示す図である。
【発明を実施するための形態】
【００３１】
以下、添付の図面を参照して様々な実施形態を説明する。
【００３２】
本実施形態の説明において、ある構成要素（ｅｌｅｍｅｎｔ）の「上（上部）」または「下（下部）」（ｏｎ  ｏｒ  ｕｎｄｅｒ）に他の構成要素が形成されるという記載は、これらの両構成要素が互いに直接（ｄｉｒｅｃｔｌｙ）接触して形成される場合も、これら両構成要素の間に一つ以上のさらに他の構成要素が介在して（ｉｎｄｉｒｅｃｔｌｙ）形成される場合も含むことができる。
【００３３】
また、「上（上部）」または「下（下部）」（ｏｎ  ｏｒ  ｕｎｄｅｒ）と表現された場合は、一つの構成要素を基準に上方を指す場合もあり、下方を指す場合もある。
【００３４】
図１Ａ及び図１Ｂは、第１の実施形態に係るライトユニットを説明するためのもので、図１Ａは断面図、図１Ｂは上面斜視図である。
【００３５】
図１Ａ及び図１Ｂに示すように、ライトユニットは、少なくとも一つの光源１１０を有する光源モジュール１００、トッププレート２００、及びボトムプレート３００を備えることができる。
【００３６】
ここで、光源１１０を有する光源モジュール１００は、トッププレート２００とボトムプレート３００との間に配置され、トッププレート２００またはボトムプレート３００に隣接している。
【００３７】
場合によって、光源モジュール１００は、トッププレート２００に接し、且つボトムプレート３００から一定の間隔を置いて配置されてもよく、ボトムプレート３００に接し、且つトッププレート２００から一定の間隔を置いて配置されてもよい。
【００３８】
または、光源モジュール１００は、トッププレート２００及びボトムプレート３００の両方から一定の間隔を置いて配置されてもよく、トッププレート２００及びボトムプレート３００の両方に接して配置されてもよい。
【００３９】
そして、光源モジュール１００は、電極パターンを有する基板、及び基板上に配置される少なくとも一つの光源１１０を有することができる。
【００４０】
ここで、光源モジュール１００の光源１１０は、上面発光型（ｔｏｐ  ｖｉｅｗ  ｔｙｐｅ）の発光ダイオードでよい。
【００４１】
場合によって、光源１１０は、側面発光型（ｓｉｄｅ  ｖｉｅｗ  ｔｙｐｅ）の発光ダイオードでもよい。
【００４２】
そして、基板は、ポリエチレンテレフタレート（ＰＥＴ）、ガラス、ポリカーボネート（ＰＣ）、シリコン（Ｓｉ）から選ばれるいずれか一物質からなるＰＣＢ（Ｐｒｉｎｔｅｄ  Ｃｉｒｃｕｉｔ  Ｂｏａｒｄ）基板でもよく、フィルム形態のものでもよい。
【００４３】
また、基板は、単層ＰＣＢ、多層ＰＣＢ、セラミック基板、メタルコアＰＣＢなどを選択的に使用することができる。
【００４４】
ここで、基板は、反射コーティングフィルム及び反射コーティング物質層のいずれか一つが形成されてもよく、光源１１０から生成された光をボトムプレート３００の中央領域に反射させることができる。
【００４５】
また、光源１１０は、発光ダイオードチップ（ＬＥＤ  ｃｈｉｐ）でよく、発光ダイオードチップは、ブルーＬＥＤチップまたは紫外線ＬＥＤチップで構成されてもよく、またはレッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップの少なくとも一つまたは２以上を組み合わせたパッケージ形態で構成されてもよい。
【００４６】
そして、ホワイトＬＥＤは、ブルーＬＥＤ上にイエロー燐光（Ｙｅｌｌｏｗ  ｐｈｏｓｐｈｏｒ）を結合して具現してもよく、ブルーＬＥＤ上にレッド燐光（Ｒｅｄ  ｐｈｏｓｐｈｏｒ）とグリーン燐光（Ｇｒｅｅｎ  ｐｈｏｓｐｈｏｒ）を同時に結合して具現してもよく、ブルーＬＥＤ上にイエロー燐光（Ｙｅｌｌｏｗ  ｐｈｏｓｐｈｏｒ）、レッド燐光（Ｒｅｄ  ｐｈｏｓｐｈｏｒ）及びグリーン燐光（Ｇｒｅｅｎ  ｐｈｏｓｐｈｏｒ）を同時に結合して具現してもよい。
【００４７】
また、トッププレート２００とボトムプレート３００との間の空間には、既存に使用してきた導光板を省き、エアーガイド（ａｉｒ  ｇｕｉｄｅ）領域が形成されるように、トッププレート２００とボトムプレート３００とを一定の間隔を置いて向かい合うように配置することができる。
【００４８】
そして、トッププレート２００は、反射コーティングフィルム及び反射コーティング物質層のいずれか一つで形成され、光源モジュール１００から生成された光をボトムプレート３００の方向に反射させる役割を果たすことができる。
【００４９】
また、トッププレート２００の表面のうち、光源モジュール１００に面する表面上には鋸歯状の反射パターンが形成され、反射パターンの表面は平面または曲面でよい。
【００５０】
トッププレート２００の表面に反射パターンを形成すると、光源モジュールから生成された光をボトムプレート３００の中央領域に反射させることで、ライトユニットの中央領域における輝度を増大させることができる。
【００５１】
また、ボトムプレート３００は、正反射領域（ｓｐｅｃｕｌａｒ  ｒｅｆｌｅｃｔｉｏｎ  ａｒｅａ）３００ａ、及び乱反射領域（ｄｉｆｆｕｓｅ  ｒｅｆｌｅｃｔｉｏｎ  ａｒｅａ）３００ｂを有する。
【００５２】
ここで、正反射領域３００ａは、入射した光を正反射する役割を果たし、乱反射領域３００ｂは、入射した光を乱反射する役割を果たすことができ、正反射領域３００ａと乱反射領域３００ｂの光反射率は、約５０〜９９．９９％でよい。
【００５３】
そして、乱反射領域３００ｂは、入射光をランベルト分布（ｌａｍｂｅｒｔｉａｎ  ｄｉｓｔｒｉｂｕｔｉｏｎ）で反射する第１の反射パターン、及びガウス分布（ｇａｕｓｓｉａｎ  ｄｉｓｔｒｉｂｕｔｉｏｎ）で反射する第２の反射パターンの少なくとも一つを有することができる。
【００５４】
例えば、ボトムプレート３００の正反射領域３００ａについては、正反射特性を有するように、ボトムプレート３００を研磨などの工程で加工し、ボトムプレート３００の乱反射領域３００ｂについては、乱反射特性を有するように、マスキング（ｍａｓｋｉｎｇ）工程及びエッチング工程などによる微細工程で反射パターンを形成することができる。
【００５５】
そのため、乱反射領域３００ｂの第１、第２の反射パターンは、不均一な大きさの凹凸形状を有することができる。
【００５６】
また、乱反射領域３００ｂは、ボトムプレート３００の全体領域の約５０〜９５％を占めることができる。
【００５７】
場合によって、乱反射領域３００ｂは、ボトムプレート３００の全体領域の約７０〜８０％を占めることもできる。
【００５８】
また、ボトムプレート３００において、正反射領域３００ａと乱反射領域３００ｂとの面積比は、１：１〜１：２０でもよい。
【００５９】
このようなボトムプレート３００の正反射領域３００ａと乱反射領域３００ｂの面積比にすると、光源モジュール１００に隣接している領域と光源モジュール１００から遠く離れた領域との輝度差を減らすことができる。
【００６０】
すなわち、ボトムプレート３００は、正反射領域３００ａと乱反射領域３００ｂとの面積比を適切に調節することによって、全体的に均一な輝度を提供することができる。
【００６１】
そして、ボトムプレート３００の乱反射領域３００ｂと光源モジュール１００間の距離は、ボトムプレート３００の正反射領域３００ａと光源モジュール１００間の距離よりも大きければよい。
【００６２】
すなわち、ボトムプレート３００の正反射領域３００ａは光源モジュール１００に隣接して位置し、ボトムプレート３００の乱反射領域３００ｂは光源モジュール１００から離れて位置するとよい。
【００６３】
これは、ボトムプレート３００の正反射領域３００ａは、光源モジュール１００に隣接して位置して、光源モジュール１００から発された光をボトムプレート３００の中央領域に反射させる役割を果たし、ボトムプレート３００の乱反射領域３００ｂは、ボトムプレート３００の中央領域に位置して、入射した光を拡散させる役割を果たすからである。
【００６４】
そして、光源モジュール１００及びトッププレート２００の少なくとも一方は、正反射領域３００ａと重なり合うことができる。
【００６５】
すなわち、トッププレート２００は、ボトムプレート３００の正反射領域３００ａに一部のみ重なってもよく、完全に重なってもよい。
【００６６】
また、ボトムプレート３００は、少なくとも一つの傾斜面と少なくとも一つの平面を有することができる。
【００６７】
ここで、ボトムプレート３００の傾斜面は、トッププレート２００に対して一定の角度で傾斜した面でよく、ボトムプレート３００の平面は、トッププレート２００と平行な面でよい。
【００６８】
そして、ボトムプレート３００の傾斜面は、全体領域が正反射領域でもよく、一部領域のみ正反射領域でもよく、光源モジュール１００及びトッププレート２００の少なくとも一方と重なることができる。
【００６９】
図２は、光の正反射特性と乱反射特性を説明するための図である。
【００７０】
図２に示すように、光は、ボトムプレートの表面特性によって、正反射または乱反射することができる。
【００７１】
そして、乱反射は、ガウス反射（ｇａｕｓｓｉａｎ  ｒｅｆｌｅｃｔｉｏｎ）、ランベルト反射（ｌａｍｂｅｒｔｉａｎ  ｒｅｆｌｅｃｔｉｏｎ）、及び混合反射（ｍｉｘｅｄ  ｒｅｆｌｅｃｔｉｏｎ）を含むことができる。
【００７２】
一般に、正反射とは、光がボトムプレートのいずれか一地点（ｐｏｉｎｔ）に入射する時、当該地点を通る法線と入射光の光軸間の角度と、法線と反射光の光軸間の角度とが等しい反射のことを意味する。
【００７３】
そして、ガウス反射は、ボトムプレート表面の角に従う反射光の強度が、法線と反射光の方向間の角がガウス関数値で変わる反射のことを意味する。
【００７４】
また、ランベルト反射は、ボトムプレート表面の角に従う反射光の強度が、法線と反射光の方向間の角のコサイン関数値で変わる反射のことを意味する。
【００７５】
また、混合反射は、正反射、ガウス反射、及びランベルト反射の少なくとも２つ以上を混合した反射のことを意味する。
【００７６】
したがって、本実施形態では、ボトムプレート３００の表面特性を調節することによって、光の反射特性を制御することができる。
【００７７】
図３は、図１Ａの乱反射領域で反射される光の分布を示す図である。
【００７８】
図３に示すように、ボトムプレート３００の正反射領域３００ａにおいて、入射光が第１の地点に入射する時、入射光の光軸と第１の地点を通る法線間の角度θ１は、第１の地点から反射される反射光の光軸と法線間の角度θ２と同一でよい。
【００７９】
そして、ボトムプレート３００の乱反射領域３００ｂにおいて、入射光が第２の地点に入射する時、第２の地点から反射される反射光は、ランベルト分布（ｌａｍｂｅｒｔｉａｎ  ｄｉｓｔｒｉｂｕｔｉｏｎ）及びガウス分布（ｇａｕｓｓｉａｎ  ｄｉｓｔｒｉｂｕｔｉｏｎ）の少なくとも一つで反射されるとよい。
【００８０】
ここで、第２の地点は、入射光をランベルト分布で反射する第１の反射パターン、及びガウス分布で反射する第２の反射パターンの少なくとも一つを有することができる。
【００８１】
例えば、ボトムプレート３００の正反射領域３００ａについては、正反射特性を有するように、ボトムプレート３００を研磨などの工程で加工し、ボトムプレート３００の乱反射領域３００ｂについては、乱反射特性を有するように、マスキング工程及びエッチング工程などによる微細工程で反射パターンを形成することができる。
【００８２】
そのため、乱反射領域３００ｂの第１、第２の反射パターンは、不均一な大きさの凹凸形状を有することができる。
【００８３】
このような光反射特性を有するようにボトムプレート３００を作製すると、光源モジュール１００に隣接した領域と光源モジュール１００から遠く離れた領域との輝度差を減らすことができる。
【００８４】
すなわち、光源モジュール１００に隣接した正反射領域３００ａは、光を正反射して輝度の弱いライトの中央領域へ送る役割を果たし、光源モジュール１００から遠く離れた乱反射領域３００ｂは、光を乱反射して弱い輝度を補償する役割を果たすことができる。
【００８５】
したがって、ボトムプレート３００は、正反射領域３００ａと乱反射領域３００ｂの光反射特性を適切に調節することによって、全体的に均一な輝度を提供することができる。
【００８６】
このボトムプレート３００は、アルミニウム（Ａｌ）、銀（Ａｇ）、金（Ａｕ）、二酸化チタン（ＴｉＯ２）などのような高反射率を有する金属または金属酸化物を含んで構成されるが、ボトムプレート３００の正反射領域３００ａと乱反射領域３００ｂに形成される物質が互いに異なっていてもよく、正反射領域３００ａと乱反射領域３００ｂの表面粗さが互いに異なっていてもよい。
【００８７】
例えば、ボトムプレート３００は、正反射領域３００ａと乱反射領域３００ｂが同じ物質で形成され、且つ表面粗さが互いに異なっていてもよい。
【００８８】
または、ボトムプレート３００は、正反射領域３００ａと乱反射領域３００ｂが互いに異なる物質で形成され、且つ表面粗さが互いに異なっていてもよい。
【００８９】
図４は、ボトムプレートの乱反射領域の構成を示す断面図である。
【００９０】
図４に示すように、ボトムプレートの乱反射領域は、ボディー層３０２と反射パターン層３０４とが積層された構造とすることができる。
【００９１】
ここで、反射パターン層３０４は、マスキング工程及びエッチング工程などのような微細パターン工程によりボディー層３０２の表面上に形成されている。
【００９２】
この時、反射パターン層３０４は凹凸の形状を有することができ、パターンの大きさは互いに同一でもよく、異なってもよい。
【００９３】
この場合、反射パターン層３０４のパターンは、ボディー層３０２の全体面積の約２０〜９０％を占めることができる。
【００９４】
また、パターンの大きさは、約５〜５０ｕｍでよい。
【００９５】
このように、ボトムプレートは、乱反射領域の反射パターン層３０４に含まれるパターンの大きさ及び数量を調節することによって、乱反射領域３００ｂの光反射特性を制御することができる。
【００９６】
図５Ａ乃至図５Ｃは、傾斜面と平面を有するボトムプレートを示す図である。
【００９７】
図５Ａでは、傾斜面が、平坦な表面を有し、且つボトムプレート３００の正反射領域３００ａに含まれている。
【００９８】
そして、図５Ｂでは、傾斜面が、凹んだ曲面を有し、且つボトムプレート３００の正反射領域３００ａに含まれており、図５Ｃでは、傾斜面が、膨らんだ曲面を有し、且つボトムプレート３００の正反射領域３００ａに含まれている。
【００９９】
また、図５Ａ乃至図５Ｃに示すように、トッププレート２００と平行なボトムプレート３００の平面は、ボトムプレート３００の乱反射領域３００ｂに含まれるようにすることがてきる。
【０１００】
一方、ボトムプレート３００は、少なくとも一つの変曲点を有する少なくとも２個の傾斜面を有し、変曲点を中心に隣接している第１、第２の傾斜面の曲率は互いに異なっていてもよい。
【０１０１】
図６Ａ乃至図６Ｃは、複数の傾斜面を有するボトムプレートを示す図である。
【０１０２】
図６Ａは、互いに隣接している２個の傾斜面が平坦な表面を有し、且つ一つの傾斜面はボトムプレート３００の正反射領域３００ａに含まれ、残りの傾斜面はボトムプレート３００の乱反射領域３００ｂに含まれている構成である。
【０１０３】
場合によって、残りの傾斜面は、ボトムプレート３００の正反射領域３００ａに一部が含まれてもよい。
【０１０４】
そして、図６Ｂは、互いに隣接している２個の傾斜面が凹んだ曲面を有する構成であり、２個の傾斜面の曲率は互いに異なっていてもよく、図６Ｃは、互いに隣接している２個の傾斜面が膨らんだ曲面を有する構成であり、２個の傾斜面の曲率は互いに異なっていてもよい。
【０１０５】
ここで、一つの傾斜面はボトムプレート３００の正反射領域３００ａに含まれ、残りの傾斜面はボトムプレート３００の乱反射領域３００ｂに含まれている。
【０１０６】
場合によって、残りの傾斜面は、ボトムプレート３００の正反射領域３００ａに一部が含まれてもよい。
【０１０７】
このように、ボトムプレート３００の傾斜面を、凹面（ｃｏｎｃａｖｅ  ｓｕｒｆａｃｅ）、凸面（ｃｏｎｖｅｘ  ｓｕｒｆａｃｅ）、平面（ｆｌａｔ  ｓｕｒｆａｃｅ）の少なくとも一つとすることができる。
【０１０８】
図７Ａ及び図７Ｂは、ボトムプレートの正反射領域と重なり合うトッププレートを示す図であり、図７Ａは、ボトムプレートの正反射領域に一部重なるトッププレートを示し、図７Ｂは、ボトムプレートの正反射領域に完全に重なるトッププレートを示している。
【０１０９】
図７Ａに示すように、トッププレート２００は、ボトムプレート３００の正反射領域３００ａに一部のみ重なってもよい。
【０１１０】
ここで、光源モジュール１００は、ボトムプレート３００の正反射領域３００ａに一部のみ重なってもよく、完全に重なってもよい。
【０１１１】
そして、図７Ｂに示すように、トッププレート２００は、ボトムプレート３００の正反射領域３００ａに完全に重なってもよい。
【０１１２】
ここで、光源モジュール１００は、ボトムプレート３００の正反射領域３００ａに一部のみ重なってもよく、完全に重なってもよい。
【０１１３】
また、トッププレート２００は、ボトムプレート３００と同様、正反射領域を含むことができる。
【０１１４】
図８Ａ乃至図８Ｄは、第２の実施形態に係るライトユニットを説明するための図である。
【０１１５】
図８Ａ乃至図８Ｄに示すように、ボトムプレート３００は、正反射領域（ｓｐｅｃｕｌａｒｒ  ｅｆｌｅｃｔｉｏｎ  ａｒｅａ）、乱反射領域（ｄｉｆｆｕｓｅ  ｒｅｆｌｅｃｔｉｏｎ  ａｒｅａ）、及び正反射領域と乱反射領域とが混合している混合領域を有することができる。
【０１１６】
ここで、混合領域の正反射領域３００ａは、混合領域の全体領域の約５〜５０％を占めることができる。
【０１１７】
そして、乱反射領域３００ｂは、入射光をランベルト分布で反射する第１の反射パターン、及びガウス分布で反射する第２の反射パターンを有することができる。
【０１１８】
また、混合領域は、正反射領域３００ａと乱反射領域３００ｂとの間に位置しており、光源モジュール１００から遠ざかるにつれて正反射領域３００ａの面積比率が減少すればよい。
【０１１９】
すなわち、混合領域は、光源モジュール１００に隣接している正反射領域３００ａの面積が、光源モジュール１００から遠く離れた正反射領域３００ａの面積よりも大きければよい。
【０１２０】
そして、混合領域の正反射領域３００ａは、混合領域の全体領域の約２０〜５０％を占めてもよい。
【０１２１】
また、混合領域の正反射領域３００ａと乱反射領域３００ｂとの面積比は、１：１〜１：２０であってもよい。
【０１２２】
図８Ａに示すように、ボトムプレート３００の混合領域において正反射領域３００ａは三角形状を有し、図８Ｂに示すように、ボトムプレート３００の混合領域において正反射領域３００ａは半球形状を有し、図８Ｃに示すように、ボトムプレート３００の混合領域において正反射領域３００ａは階段形状を有し、図８Ｄに示すように、ボトムプレート３００の混合領域において正反射領域３００ａは直角三角形の形状を有することができる。
【０１２３】
すなわち、ボトムプレート３００の混合領域において、正反射領域３００ａは、光源モジュール１００から遠ざかるほど面積が順次減少すればよい。
【０１２４】
一方、ボトムプレート３００の混合領域において、乱反射領域３００ｂは、光源モジュール１００から遠ざかるにつれて面積が順次増加すればよい。
【０１２５】
このように、ボトムプレート３００の正反射領域３００ａを光源モジュール１００から遠ざかるにつれて面積比率が減るように形成すると、正反射領域３００ａと乱反射領域３００ｂとの境界に現れうるブラックライン（ｂｌａｃｋ  ｌｉｎｅ）を防ぎ、均一な輝度を提供することができる。
【０１２６】
図９Ａ乃至図９Ｃは、第２の実施形態に係る混合領域の他の具体例を示す平面図である。
【０１２７】
図９Ａに示すように、ボトムプレート３００の混合領域において正反射領域３００ａは複数の三角形状を有し、図９Ｂに示すように、ボトムプレート３００の混合領域において正反射領域３００ａは複数の半球形状を有し、図９Ｃに示すように、ボトムプレート３００の混合領域において正反射領域３００ａは複数の四角形状を有することができる。
【０１２８】
また、ボトムプレート３００の混合領域において、正反射領域３００ａと乱反射領域３００ｂは、互いに同じ面積を有してもよく、場合によっては、異なる面積を有してもよい。
【０１２９】
ここで、ボトムプレート３００の混合領域において、正反射領域３００ａはボトムプレート３００の全体領域の約２０〜５０％を占めることができる。
【０１３０】
場合によって、ボトムプレート３００の混合領域において、正反射領域３００ａと乱反射領域３００ｂとの面積比は、約１：１〜１：２０でもよい。
【０１３１】
一方、ボトムプレート３００の混合領域において、乱反射領域３００ｂは、正反射領域３００ａ内に複数のドット（ｄｏｔ）形状で形成されてもよい。
【０１３２】
図１０、図１１Ａ、図１１Ｂ、図１２及び図１３は、第２の実施形態に係る混合領域のさらに他の具体例を示す平面図である。
【０１３３】
図１０に示すように、ボトムプレート３００の混合領域において、乱反射領域３００ｂは正反射領域３００ａ内に複数のドット形状で形成されてもよく、光源モジュール１００に隣接している領域と光源モジュール１００から遠い領域におけるドットの数は一定でよい。
【０１３４】
場合によっては、図１１Ａに示すように、ボトムプレート３００の混合領域において、乱反射領域３００ｂは、正反射領域３００ａ内に複数のドット形状で形成され、光源モジュール１００に隣接している領域と光源モジュール１００から遠い領域におけるドットの数が互いに異なっていてもよい。
【０１３５】
すなわち、ボトムプレート３００の混合領域において、ドット形状を有する乱反射領域３００ｂは、光源モジュール１００から遠ざかるにつれてドットの個数が順次増加してもよい。
【０１３６】
そして、図１１Ｂに示すように、ボトムプレート３００の混合領域において、乱反射領域３００ｂは、正反射領域３００ａ内に複数のドット形状で形成され、光源モジュール１００に隣接している領域と光源モジュール１００から遠い領域に形成されるドットの大きさが互いに異なっていてもよい。
【０１３７】
すなわち、ボトムプレート３００の混合領域において、ドット形状を有する乱反射領域３００ｂは、光源モジュール１００から遠ざかるにつれてドットの大きさが順次大きくなってもよい。
【０１３８】
このように、ボトムプレート３００の混合領域において、ドット形状の乱反射領域３００ｂは、図１０のように、光源モジュール１００から遠ざかるのにかかわらず、ドット形状の大きさ及び個数を一定にしてもよく、図１１Ａに示すように、光源モジュール１００から遠ざかるにつれて、ドット形状の大きさは一定にし、ドット形状の個数を増加させてもよく、図１１Ｂに示すように、光源モジュール１００から遠ざかるにつれて、ドット形状の個数は一定にし、ドット形状の大きさを増加させてもよい。
【０１３９】
このようにボトムプレート３００の混合領域においてドット形状の乱反射領域３００ｂの大きさ及び個数を調節することによって、全体的に均一な輝度を提供することができる。
【０１４０】
さらに他の実施形態として、図１２及び図１３に示すように、ボトムプレート３００の混合領域において、正反射領域３００ａと乱反射領域３００ｂをストライプ形状にすることもできる。
【０１４１】
ここで、正反射領域３００ａと乱反射領域３００ｂは交互に配置されているが、互いに隣接しているストライプの幅は同一であっても、異なっていてもよい。
【０１４２】
図１２に示すように、正反射領域３００ａとして、同じ幅の複数のストライプ形状を並んで配列することができる。
【０１４３】
そして、正反射領域３００ａのストライプ形状の間には乱反射領域３００ｂのストライプ形状を配置することができる。
【０１４４】
ここで、正反射領域３００ａのストライプ形状の幅と乱反射領域３００ｂのストライプ形状の幅は、互いに同一であっても、異なっていてもよい。
【０１４５】
また、図１３に示すように、正反射領域３００ａとして、異なった幅の複数のストライプ形状を並んで配列することもできる。
【０１４６】
すなわち、正反射領域３００ａは、光源モジュール１００から遠ざかるにつれてストライプ形状の幅が順次減少すればよい。
【０１４７】
例えば、光源モジュール１００に隣接している正反射領域３００ａのストライプ幅Ｗ１は、光源モジュール１００から遠く離れた正反射領域３００ａのストライプの幅Ｗ３より大きくてもよい。
【０１４８】
そして、正反射領域３００ａのストライプ形状の間には乱反射領域３００ｂのストライプ形状を配置できるが、光源モジュール１００に隣接している乱反射領域３００ｂのストライプ幅は、光源モジュール１００から遠く離れた乱反射領域３００ｂのストライプの幅より小さくてもよい。
【０１４９】
このように、ボトムプレート３００の混合領域において、正反射領域３００ａ及び乱反射領域３００ｂのストライプ幅を調節することによって、全体的に均一な輝度を提供することができる。
【０１５０】
図１４Ａ及び図１４Ｂは、第３の実施形態に係るライトユニットを説明するためのもので、図１４Ａは断面図、図１４Ｂは上面斜視図である。
【０１５１】
図１４Ａ及び図１４Ｂに示すように、ライトユニットは、少なくとも一つの光源１１０を有する光源モジュール１００、トッププレート２００、及びボトムプレート３００を備えることができる。
【０１５２】
ここで、ボトムプレート３００は、正反射領域３００ａと乱反射領域３００ｂを有し、乱反射領域３００ｂは、第１の乱反射領域３００ｂ１及び第２の乱反射領域３００ｂ２を有することができる。
【０１５３】
ここで、正反射領域３００ａは、入射した光を正反射する役割を果たし、乱反射領域３００ｂは、入射した光を乱反射する役割を果たすことができ、正反射領域３００ａと乱反射領域３００ｂとの光反射率は、約５０〜９９．９９％でよい。
【０１５４】
そして、第１、第２の乱反射領域３００ｂ１，３００ｂ２は、入射光をランベルト分布（ｌａｍｂｅｒｔｉａｎ  ｄｉｓｔｒｉｂｕｔｉｏｎ）で反射する第１の反射パターン、及びガウス分布（ｇａｕｓｓｉａｎ  ｄｉｓｔｒｉｂｕｔｉｏｎ）で反射する第２の反射パターンを有することができる。
【０１５５】
ここで、第１の乱反射領域３００ｂ１は、第１の反射パターンが第２の反射パターンよりも少なく、第２の乱反射領域３００ｂ２は、第１の反射パターンが第２の反射パターンよりも多くてもよい。
【０１５６】
また、第１の乱反射領域３００ｂ１と第２の乱反射領域３００ｂ２の面積比は、約１：１〜１：５でよい。
【０１５７】
ここで、正反射領域３００ａと第１の乱反射領域３００ｂ１の面積比は、約１：１〜１：４でよく、正反射領域３００ａと第２の乱反射領域３００ｂ２の面積比は、約１：１〜１：２０でよい。
【０１５８】
このようにボトムプレート３００の正反射領域３００ａと第１、第２の乱反射領域３００ｂ１，３００ｂ２との面積比を定めると、光源モジュール１００に隣接した領域と光源モジュール１００から遠く離れた領域との輝度差を減らすことができる。
【０１５９】
すなわち、ボトムプレート３００は、正反射領域３００ａと第１、第２の乱反射領域３００ｂ１，３００ｂ２との面積比を適切に調節することによって、全体的に均一な輝度を提供することができる。
【０１６０】
そして、第１の乱反射領域３００ｂ１は、正反射領域３００ａと第２の乱反射領域３００ｂ２との間に配置することができる。
【０１６１】
すなわち、ボトムプレート３００の正反射領域３００ａを、光源モジュール１００に隣接して配置し、ボトムプレート３００の第２の乱反射領域３００ｂ２を、光源モジュール１００から遠く離れて配置し、ボトムプレート３００の第１の乱反射領域３００ｂ１を、正反射領域３００ａと第２の乱反射領域３００ｂ２との間に配置することができる。
【０１６２】
このような配置にする理由は、ボトムプレート３００の正反射領域３００ａは、光源モジュール１００に隣接して位置して、光源モジュール１００から発される光をボトムプレート３００の中央領域に反射させる役割を果たし、ボトムプレート３００の乱反射領域３００ｂは、ボトムプレート３００の中央領域に位置して、入射した光を拡散させる役割を果たすからである。
【０１６３】
そのため、第３の実施形態においても、第１、第２の実施形態と同様、ボトムプレート３００の正反射領域３００ａについては、正反射特性を有するように、ボトムプレート３００を研磨などの工程で加工し、ボトムプレート３００の乱反射領域３００ｂについては、乱反射特性を有するように、マスキング工程及びエッチング工程などによる微細工程により反射パターンを形成すればよい。
【０１６４】
また、実施形態に係るライトユニットは、ボトムプレートから一定の空間を置いて配置された光学部材をさらに備え、ボトムプレートと光学部材との間の空間にエアーガイド領域を形成することができる。
【０１６５】
図１５は、光学部材を備えているライトユニットを示す図であり、図１６は、光学部材の形状の一例を示す図である。
【０１６６】
図１５に示すように、光学部材６００は、トッププレート２００のオープン領域に配置され、複数の層で形成され、かつ凹凸パターン６２０を、最上層またはいずれか一層の表面に有することができる。
【０１６７】
場合によって、光学部材６００は、少なくとも一つのシートからなり、拡散シート、プリズムシート、輝度強化シートなどを選択的に含むことができる。
【０１６８】
ここで、拡散シートは、光源から発された光を拡散させ、プリズムシートは、拡散された光を発光領域にガイドし、輝度強化シートは輝度を強化させる。
【０１６９】
このように、光学部材６００は、トッププレート２００のオープン領域から出射する光を拡散させるためのもので、拡散効果を増大させるために拡散シート６００の上部表面に凹凸パターン６２０を形成することができる。
【０１７０】
凹凸パターン６２０は、図１６に示すように、光源モジュール１００に並んで配置されるストライプ形状を有することができる。
【０１７１】
ここで、凹凸パターン６２０は、光学部材６００の表面に形成された突出部を有し、突出部は、互いに向かい合う第１の面と第２の面とで構成され、第１の面と第２の面間の角は、鈍角または鋭角でよい。
【０１７２】
場合によって、光学部材６００は、少なくとも一つのシートからなり、拡散シート、プリズムシート、輝度強化シートなどを選択的に含むことができる。
【０１７３】
ここで、拡散シートは、光源から発された光を拡散させ、プリズムシートは、拡散された光を発光領域にガイドし、輝度強化シートは輝度を強化させる。
【０１７４】
このように、ライトユニットは、ボトムプレートの表面に凹ラインと凸ラインが交互に配列されるように複数のパターンを形成することによって、輝度を向上させ、均一な輝度を提供することができる。
【０１７５】
一方、本実施形態は、光源モジュールの光出射面を様々な方向に配置することもできる。
【０１７６】
すなわち、光源モジュールは、光出射面が光学部材とボトムプレートとの間のエアーガイド領域に向くように配置された直接出射型の構造でもよく、光出射面がトッププレート、ボトムプレート及びカバープレートのいずれか一方向に向くように配置された間接出射型の構造でもよい。
【０１７７】
ここで、間接出射型の光源モジュールは、出射した光がトッププレート、ボトムプレート及びカバープレートで反射され、反射された光は再びライトユニットのエアーガイド領域へ進むことができる。
【０１７８】
光源モジュールを間接出射型の構造にすると、ホットスポット（ｈｏｔｓｐｏｔ）現象を減らすことができる。
【０１７９】
また、ボトムプレートの下部面に複数の補強リブ（ｒｉｂ）が配置されてもよい。
【０１８０】
図１７は、ボトムプレートの下部面に設けられた補強リブを示す図である。図１７に示すように、ボトムプレートの下部面に複数の補強リブ３５０を配置することができる。
【０１８１】
ボトムプレートは曲面の反射面を有することから外部環境によって歪むことがあり、これを防止するために補強リブ３５０を設けるわけである。
【０１８２】
補強リブ３５０は、ボトムプレートの傾斜面と相対する背面に配置される他、ボトムプレートの側面と相対する背面に配置されてもよい。
【０１８３】
そして、ボトムプレートの上部面に、光学部材を支持する支持ピンが設けられてもよい。
【０１８４】
図１８は、ボトムプレートの上部面に形成された支持ピンを示す図である。図１８に示すように、ボトムプレート３００の上部面に、光学部材を支持する支持ピン３６０を設けることができる。
【０１８５】
光学部材はボトムプレート３００から離れて配置され、これらの間にはエアーガイド領域が形成されるため、光学部材の中心領域が下方に垂れることがあり、これを防止するために支持ピン３６０を設けるわけである。
【０１８６】
ここで、支持ピン３６０は、ボトムプレート３００に接する下部面の面積が上部面の面積よりも広い方が、安定した構造となりうる。
【０１８７】
一方、ボトムプレートの傾斜面の下部には、光源モジュールを駆動させるための回路装置を配置することができる。
【０１８８】
ボトムプレートの背面では傾斜面の間に所定の空間が形成され、該空間に回路装置を配置することで空間を效率的に用いることができる。
【０１８９】
図１９は、実施形態に係るライトユニットを有するディスプレイモジュールを示す図である。
【０１９０】
図１９に示すように、ディスプレイモジュール２０は、ディスプレイパネル８００及びライトユニット７００を備えることができる。
【０１９１】
ディスプレイパネル８００は、均一なセルギャップが維持されるように互いに相対して貼り合わせられたカラーフィルタ基板８１０とＴＦＴ（Ｔｈｉｎ  Ｆｉｌｍ  Ｔｒａｎｓｉｓｔｏｒ）基板８２０とを有し、両基板８１０，８２０の間に液晶層（図示せず）が挟まる構成でよい。
【０１９２】
なお、ディスプレイパネル８００の上側及び下側にはそれぞれ、上部偏光板８３０及び下部偏光板８４０を配置することができ、具体的には、カラーフィルタ基板８１０の上面に上部偏光板８３０を配置し、ＴＦＴ基板８２０の下面に下部偏光板８４０を配置することができる。
【０１９３】
図示してはいないが、ディスプレイパネル８００の側面には、パネル８００を駆動するための駆動信号を生成するゲート及びデータ駆動部を設けることができる。
【０１９４】
図２０及び図２１は、実施形態に係るディスプレイ装置を示す図である。
【０１９５】
図２０を参照すると、ディスプレイ装置１は、ディスプレイモジュール２０、ディスプレイモジュール２０を取り囲むフロントカバー３０及びバックカバー３５、バックカバー３５に設けられた駆動部５５、及び駆動部５５を覆う駆動部カバー４０で構成することができる。
【０１９６】
フロントカバー３０は、光を透過させる透明な材質の前面パネル（図示せず）を有することができ、前面パネルは、一定の間隔を置いてディスプレイモジュール２０を保護し、ディスプレイモジュール２０から放出する光を透過させて、ディスプレイモジュール２０で表示される映像が外部から見られるようにする。
【０１９７】
バックカバー３５は、フロントカバー３０と結合してディスプレイモジュール２０を保護することができる。
【０１９８】
バックカバー３５の一面には駆動部５５を配置することができる。
【０１９９】
駆動部５５は、駆動制御部５５ａ、メインボード５５ｂ、及び電源ボード５５ｃを有することができる。
【０２００】
駆動制御部５５ａは、タイミングコントローラでよく、ディスプレイモジュール２０の各ドライバーＩＣの動作タイミングを調節する駆動部であり、メインボード５５ｂは、タイミングコントローラにＶシンク、Ｈシンク及びＲ，Ｇ，Ｂ解像度信号を伝達する駆動部であり、電源ボード５５ｃは、ディスプレイモジュール２０に電源を印加する駆動部である。
【０２０１】
駆動部５５は、バックカバー３５に設けられて駆動部カバー４０で覆われる構造とすることができる。
【０２０２】
バックカバー３５には複数の孔を開けてディスプレイモジュール２０と駆動部５５とが接続されるようにし、ディスプレイ装置１を支持するスタンド６０を備えることができる。
【０２０３】
一方、図２１に示すように、駆動部５５の駆動制御部５５ａはバックカバー３５に配設され、メインボード５５ｂ及び電源ボード５５ｃはスタンド６０に配設される構成でもよい。
【０２０４】
ここで、駆動部カバー４０は、バックカバー３５に設けられた駆動部５５のみを覆えばよい。
【０２０５】
本実施形態では、メインボード５５ｂと電源ボード５５ｃを別体として構成したが、一体の統合ボードにしてもよく、上記に限定されない。
【０２０６】
さらに他の実施形態は、以上の実施形態に記載されたトッププレート、正反射領域及び乱反射領域を有するボトムプレート、及び光源モジュールを備える表示装置、指示装置、照明システムとすることもでき、例えば、照明システムとしては、ランプ、街灯を含むことができる。
【０２０７】
このような照明システムは、多数のＬＥＤを集束して光を得る照明灯に用いることができ、特に、建物の天井や壁体内に埋め込まれ、シェードの開口部側が露出されるように装着できる埋め込み灯（ダウンライト）に用いることができる。
【０２０８】
以上では種々の実施形態を挙げて本発明を説明してきたが、本発明の精神及び範囲を逸脱しない限度内で、種々の他の変形及び態様が可能であるということは、当該技術の分野における通常の知識を有する当業者にとっては明らかである。特に、本発明の詳細な説明、図面及び添付の請求項の範囲内で構成要素及び／またはその組み合わせの様々な変形及び修正が可能である。これら構成要素及び／またはその組み合わせの様々な変形及び修正に加えて、その他の利用が当業者には明らかである。
【図１Ａ】
2013131499.tif 000003
【図１Ｂ】
2013131499.tif 000004
【図２】
2013131499.tif 000005
【図３】
2013131499.tif 000006
【図４】
2013131499.tif 000007
【図５Ａ】
2013131499.tif 000008
【図５Ｂ】
2013131499.tif 000009
【図５Ｃ】
2013131499.tif 000010
【図６Ａ】
2013131499.tif 000011
【図６Ｂ】
2013131499.tif 000012
【図６Ｃ】
2013131499.tif 000013
【図７Ａ】
2013131499.tif 000014
【図７Ｂ】
2013131499.tif 000015
【図８Ａ】
2013131499.tif 000016
【図８Ｂ】
2013131499.tif 000017
【図８Ｃ】
2013131499.tif 000018
【図８Ｄ】
2013131499.tif 000019
【図９Ａ】
2013131499.tif 000020
【図９Ｂ】
2013131499.tif 000021
【図９Ｃ】
2013131499.tif 000022
【図１０】
2013131499.tif 000023
【図１１Ａ】
2013131499.tif 000024
【図１１Ｂ】
2013131499.tif 000025
【図１２】
2013131499.tif 000026
【図１３】
2013131499.tif 000027
【図１４Ａ】
2013131499.tif 000028
【図１４Ｂ】
2013131499.tif 000029
【図１５】
2013131499.tif 000030
【図１６】
2013131499.tif 000031
【図１７】
2013131499.tif 000032
【図１８】
2013131499.tif 000033
【図１９】
2013131499.tif 000034
【図２０】
2013131499.tif 000035
【図２１】
2013131499.tif 000036